(57)【特許請求の範囲】
【請求項１】
電機子鉄心と巻線からなる電機子と永久磁石を有する可動子とが相対的に移動可能である推力発生機構であって、
前記電機子は、
前記可動子に沿って並べられた複数の電機子鉄心及び当該複数の電機子鉄心を巻く第１巻線及び第２巻線とを有する第１電機子ユニットと、
前記可動子に沿って並べられた複数の電機子鉄心及び当該複数の電機子鉄心を巻く第３巻線及び第４巻線とを有する第２電機子ユニットと、
により構成され、
前記複数の電機子鉄心は、前記永久磁石の磁極側に空隙を介して対向配置された磁極歯と、該磁極歯を前記可動子を囲む両側でつなぐコアをそれぞれ備え、
前記第１電機子ユニットの前記複数の電機子鉄心は、当該複数の電機子鉄心との間に前記第２電機子ユニットを含む他の電機子ユニットの電機子鉄心を挟むことなく、前記可動子に沿って配置され、
前記第２電機子ユニットの前記複数の電機子鉄心は、当該複数の電機子鉄心との間に前記第１電機子ユニットを含む他の電機子ユニットの電機子鉄心を挟むことなく、前記可動子に沿って配置され、
前記第１電機子ユニットの第１巻線は前記可動子の片面側の磁極を巻くように配置され、
前記第１電機子ユニットの第２巻線は前記可動子の反対面側の対向する磁極を巻くように配置され、
前記第２電機子ユニットの第３巻線は前記可動子の片面側の磁極を巻くように配置され、
前記第２電機子ユニットの第４巻線は前記可動子の反対面側の磁極を巻くように配置され、
前記第１電機子ユニットの前記複数の電機子鉄心は、対向配置された前記磁極歯の磁束の方向が同方向となるように構成され、
前記第２電機子ユニットの前記複数の電機子鉄心は、対向配置された前記磁極歯の磁束の方向が同方向となるように構成され、
前記第１電機子ユニットは、複数個の電機子鉄心に共通となるように同一に第１巻線および第２巻線を配置し、
前記第２電機子ユニットは、複数個の電機子鉄心に共通となるように同一に第３巻線および第４巻線を配置する推力発生機構。
【請求項２】
請求項１に記載されたいずれかの推力発生機構であって、
前記可動子の磁極ピッチＰに対して、前記複数の電機子鉄心のピッチを２ｎＰ（ｎは整数、ｎ＝１，２，３・・・）として、前記複数の電機子鉄心が同じ極性を有することを特徴とする推力発生機構。
【請求項３】
請求項１の推力発生機構であって、
前記可動子の磁極ピッチＰに対して、前記複数の電機子鉄心のピッチを２ｎＰ±Ｐ／２ｍ（ｎは整数、ｎ＝１，２，３・・・、Ｍは相の数Ｍ＝１，２，３・・・）として、
前記複数の前記電機子鉄心が同じ極性を有することを特徴とする推力発生機構。
【請求項４】
請求項１ないし３に記載されたいずれかの推力発生機構であって、
前記可動子の磁極ピッチＰに対して、前記電機子鉄心の、可動子長手方向の厚さｔがＰ≦ｔである推力発生機構。
【請求項５】
請求項１ないし４に記載されたいずれかの推力発生機構であって、
前記磁極歯のピッチＰに対して１つの極性を有する磁石列に対し、任意の巻線電流に対して前記電機子が空隙に発生する極性が１極性であることを特徴とする推力発生機構。
【請求項６】
請求項１ないし５に記載されたいずれかの推力発生機構であって、
前記第１電機子ユニットは、永久磁石の磁極側の両側に対向配置された前記磁極歯に前記第１巻線を配置した推力発生機構。
【請求項７】
請求項１ないし６に記載されたいずれかの推力発生機構であって、
永久磁石の磁極側の両側に対向配置された前記磁極歯を磁石に向かって先細り形状にしたことを特徴とする推力発生機構。
【請求項８】
請求項１ないし７に記載されたいずれかの推力発生機構であって、
複数個の電機子からなるユニットを１相とし、複数個の相を有する推力発生機構であって、
磁極のピッチＰに対して、複数個の隣り合う前記電機子からなる相の、各相間のピッチを（ｋＰ＋Ｐ／Ｍ）（ｋ＝０，１，２，３・・・、Ｍは相の数Ｍ＝１，２，３・・・）とすることを特徴とする推力発生機構。
【請求項９】
請求項１から請求項８記載のいずれかの推力発生機構を有するリニアモータ。
【発明の詳細な説明】
【技術分野】
【０００１】
本発明は、推力を発生する構成に関し、磁束の方向を同一方向にすることにより、漏れ磁束を低減した、高効率な推力発生機構に関する。
【背景技術】
【０００２】
従来の推力発生機構を有するリニアモータは、回転機を切り開いた形状をしており、磁石列からなる可動子と電機子との間に大きな吸引力が働く。磁気吸引力を相殺するために第一極性と第二極性の有する磁極を交互に配置したリニアモータが〔特許文献１〕で公開されている。従来の技術は、〔特許文献１〕記載の図１に示すように電機子鉄心に同一の電機子巻線を配置し、電機子巻線に電流を流すことにより発生した磁束が磁極を介し、磁石の下側と上側の磁極および同じ方向の磁極が発生する。それに対し、隣の磁極には逆向きの磁極が発生する。これによりギャップに交互の磁極が、電機子巻線一つで発生させることができる。ギャップに、永久磁石の磁極が交互になるように配置すれば、電機子巻線へ電流を流すことにより、永久磁石に力が作用する。
【先行技術文献】
【特許文献】
【０００３】
【特許文献１】特開２００１−０２８８７５号公報
【発明の概要】
【発明が解決しようとする課題】
【０００４】
しかし、従来の技術では、電機子巻線で交互の磁極を発生させるため、磁極および電機子鉄心を介すため、電機子巻線で発生させた磁束の経路が長くなり、磁気的な効率が低下し、さらには経路の長さに比例して重量が重くなる欠点があった。
【０００５】
また、隣り合う磁極は、異なる極性もつ磁極であるため、ギャップ方向への磁束と、磁極間で磁束が発生する。隣り合う磁極間の磁束は磁石へ鎖交しない磁束となるため力に寄与しない無駄な磁束となる。従って、磁気回路の磁気利用効率が低い欠点がある。さらに、隣り合う磁極で逆方向の磁束を発生させるため、電機子鉄心を複雑にし、かつ、磁石対向部から離れた位置に電機子巻線を配置する必要がある。
【０００６】
本発明はこれらの欠点を解決するためになされたものであり、高推力の力を発生できる構造を提供することを目的とする。
【課題を解決するための手段】
【０００７】
上記課題を達成するために、本発明は電機子鉄心と巻線からなる電機子と、永久磁石を有する可動子とが相対的に移動可能である推力発生機構であって、前記電機子鉄心は永久磁石の磁極側に空隙を介して対向配置された磁極歯と、該磁極歯をつなぐコアを備え、かつ、前記電機子鉄心を複数個有し、複数個の前記電機子鉄心は同じ極性を有することを特徴とするものである。
【０００８】
また、上記課題を達成するために、本発明は電機子鉄心と巻線からなる電機子と、永久磁石を有する可動子とが相対的に移動可能である推力発生機構であって、複数個の前記電機子鉄心と、前記電機子鉄心は永久磁石の磁極側に空隙を介して対向配置された磁極歯と、該磁極歯をつなぐコアを備え、可動子の磁極ピッチＰに対して、複数個の電機子鉄心のピッチを２ｎＰ（ｎは整数、ｎ＝１，２，３・・・）として、複数個の前記電機子鉄心が同じ極性をすることを特徴とするものである。
【０００９】
また、上記課題を達成するために、本発明は電機子鉄心と巻線からなる電機子と、永久磁石を有する可動子とが相対的に移動可能である推力発生機構であって、複数個の前記電機子鉄心を備え、前記電機子鉄心は永久磁石の磁極側に空隙を介して対向配置された磁極歯と、該磁極歯をつなぐコアを備え、可動子の磁極ピッチＰに対して、複数個の電機子鉄心のピッチを２ｎＰ±Ｐ／２ｍ（ｎは整数、ｎ＝１，２，３・・・、Ｍは相の数Ｍ＝１，２，３・・・）として、複数個の前記電機子鉄心が同じ極性を有することを特徴とするものである。
【００１０】
また、上記課題を達成するために、本発明は電機子鉄心と巻線からなる電機子と、永久磁石を有する可動子とが相対的に移動可能である推力発生機構であって、前記電機子鉄心は永久磁石の磁極側に空隙を介して対向配置された磁極歯と、該磁極歯をつなぐコアを備え、かつ、前記電機子鉄心を複数個有し、隣り合う前記電機子鉄心の磁束の方向が同方向であることを特徴とするものである。
【００１１】
また、上記課題を達成するために、本発明は電機子鉄心と巻線からなる電機子と、永久磁石を有する可動子とが相対的に移動可能である推力発生機構であって、前記電機子鉄心が永久磁石の磁極側に空隙を介して対向配置された磁極歯と、該磁極歯をつなぐコアを備え、かつ、前記電機子鉄心を複数個有し、複数個の前記電機子鉄心は同じ極性を有し、可動子の磁極ピッチＰに対して、前記電機子鉄心の、可動子長手方向の厚さｔがＰ≦ｔであり、複数個の前記電機子鉄心が同じ極性を有することを特徴とするものである。
【００１２】
また、上記課題を達成するために、本発明は電機子鉄心と巻線からなる電機子と、永久磁石を有する可動子とが相対的に移動可能である推力発生機構であって、前記電機子鉄心は永久磁石の磁極側に空隙を介して対向配置された磁極歯と、該磁極歯をつなぐコアを備え、かつ、前記電機子鉄心を複数個有し、可動子の磁極ピッチＰに対して２Ｐの範囲の空隙に、任意の巻線電流に対して前記対向配置されたコアが前記空隙に同一方向の磁束を発生することを特徴とするものである。
【００１３】
また、上記課題を達成するために、本発明は電機子鉄心と巻線からなる電機子と、永久磁石を有する可動子とが相対的に移動可能である推力発生機構であって、前記電機子鉄心は永久磁石の磁極側に空隙を介して対向配置された磁極歯と、前記磁極歯をつなぐコアを備え、任意の巻線電流において、前記空隙に対して複数個の前記電機子鉄心が同じ同一方向の磁束を発生させることを特徴とするものである。
【００１４】
また、上記課題を達成するために、本発明は電機子鉄心と巻線からなる電機子と、永久磁石を有する可動子とが相対的に移動可能である推力発生機構であって、前記電機子鉄心は永久磁石の磁極側に空隙を介して対向配置された磁極歯と、該磁極歯をつなぐコアを備え、磁極ピッチＰに対して２つの極性を有する磁石列に対し、任意の巻線電流に対して前記電機子が空隙に発生する極性が１極性であることを特徴とするものである。
【００１５】
更に、本発明の推力発生機構は、複数個の前記電機子鉄心に共通の巻線を捲いたことを特徴とするものである。
【００１６】
更に、本発明の推力発生機構は、永久磁石の磁極側の両側に対向配置された前記磁極歯に電機子巻線を配置したことを特徴とするものである。
【００１７】
更に、本発明の推力発生機構は、永久磁石の磁極側の両側に対向配置された前記磁極歯を磁石に向かって先細り形状にしたことを特徴とするものである。
【００１８】
更に、本発明の推力発生機構は、永久磁石の磁極側の両側に対向配置された磁極歯の磁石対向面を切り取った形状にしたことを特徴とするものである。
【００１９】
更に、本発明の推力発生機構は、複数個の電機子からなるユニットを１相とし、複数個の相を有する推力発生機構であって、磁極のピッチＰに対して、複数個の隣り合う前記電機子からなる相の、各相間のピッチを（ｋＰ＋Ｐ／Ｍ）（ｋ＝０，１，２，３・・・、Ｍは相の数Ｍ＝１，２，３・・・）とすることを特徴とするものである。
【００２０】
更に、本発明は前述の推力発生機構を有するリニアモータを提供することにある。
【発明の効果】
【００２１】
本発明によれば、漏れ磁束を低減した、高効率な推力発生機構を提供することが実現できる。
【００２２】
また、本発明によれば、高効率な推力発生機構を用いたリニアモータを提供することも実現できる。
【図面の簡単な説明】
【００２３】
【図１】本発明の実施の一形態による推力発生機構を示す。
【図２】図１の推力発生機構のＹＺ面の断面図を示す。
【図３】図１の推力発生機構のＸＹ面の断面図を示す。
【図４】電機子鉄心の磁束を示す。
【図５】電機子巻線の配置例を示す。
【図６】電子機鉄心の間隔を狭めた例を示す。
【図７】積層鋼板で構成した電機子鉄心を示す。
【図８】磁極のピッチの変形例を示す。
【図９】磁極歯の形状例を示す。
【図１０】電機子鉄心を３個並列に並べた電機子鉄心ユニットを示す。
【図１１】図１０の断面図を示す。
【図１２】本発明の実施の一形態による他の推力発生機構の例を示す。
【図１３】複数個の電機子鉄心間に補助鉄心を挿入した例を示す。
【図１４】上側の磁極歯と下側の磁極歯を磁石に向かって細くなるように構成した例を示す。
【図１５】電機子鉄心の間隔を狭くした例を示す。
【図１６】本発明の他の実施例を示す。
【図１７】電機子磁束の分布を示す。
【図１８】磁石の作る磁束と電機子の作る磁束の分布を示す。
【図１９】複数個の電機子を並べた場合の磁束の分布を示す。
【図２０】電機子ユニットを交互に配置した例を示す。
【図２１】電機子鉄心を三角状にした例を示す。
【図２２】電機子鉄心が磁石列を両側から挟みこむ構造を示す。
【図２３】磁石列を丸型にした構造を示す。
【図２４】磁石の配置の変形例を示す。
【発明を実施するための形態】
【００２４】
〔発明の実施の形態１〕
以下、本発明の実施の形態について図面を用いて説明する。
【実施例１】
【００２５】
図１は、本発明の実施の一形態による推力発生機構である。また、その推力発生機構のＹＺ面の断面図を図２に、ＸＹ面の断面図を図３に示す。図１から図３において、電機子鉄心ユニット１００は、磁石に対向した上側の磁極歯１１と、磁石に対向した下側の磁極歯１２と、上側の磁極歯１１と下側の磁極歯１２とをつなぐ電機子鉄心１で構成されている。上側の磁極歯１１と下側の磁極歯１２は空隙４を介して対向配置されており、空隙４には磁石列３が挿入されている。磁石列３は、矩形の磁石をピッチＰで、磁極歯に対向する面を磁極面とし、磁極が隣り合う磁石で交互になるように配置されている。また、電機子鉄心ユニット１００と同一形状の電機子鉄心を、磁石のピッチＰに対して、電機子鉄心ユニット１００とのピッチが２Ｐとなるように配置されている。
【００２６】
電機子ユニット２００は、複数個の電機子鉄心ユニット１００に共通となるように電機子巻線２を配置した構成となる。また、電機子ユニットは複数個の電機子鉄心に同一に電機子巻線を施したもので，電機子鉄心の個数は問わず、それら全体に対して電機子巻線を巻き回す構成が可能である。
【００２７】
以上の構成において、電機子巻線２に電流を供給すると、空隙４に磁束が発生する。この磁束と磁石の磁束の相互作用において磁石列に力が発生する。電機子鉄心の磁束は図４に示すようになる。これに対して、隣り合う電機子鉄心にも同様の方向に磁束が発生する。このとき、隣り合う電機子鉄心の磁束の方向が略同一であるので、電機子鉄心間の漏れ磁束が小さくできる。
【００２８】
さらに、複数個の電機子鉄心の磁束の方向が略同一であるため、電機子鉄心の場所を問わず、電機子巻線を配置できる。電機子巻線の配置例を図５に示す。電機子巻線の位置が限定されないため、電機子巻線の配置に対して自由度が向上する。したがって、可動子の支持機構や冷却構造が必要な場合にも、電機子巻線の位置に影響を受けずに、可動子の支持機構や冷却構造を配置できる。また、図５（ａ）に示すように、磁極歯の磁束の方向も同一であるため、磁石の対向する部分に電機子巻線を配置でき、磁束利用率の良い磁気回路構成が可能となる。
【００２９】
図６に示すように電機子鉄心どうしの極性が略同一であるため、電子機鉄心の間隔を狭めることが可能である。その場合は上側の磁極歯１１と下側の磁極歯１２を磁石に向かって細めることにより推力が発生できる。複数個の電機子鉄心のピッチは、図６では、２Ｐとしたが、２ｎＰとしても良い。また、電機子間の間隔を無くした場合も、複数個の電機子鉄心の磁束の方向が同一方向であるので、同様の効果が得られる。
【００３０】
また、電機子鉄心は鋼板を積層して製作することもできる。積層鋼板で構成した電機子鉄心を図７（ａ）に示す。図７（ａ）のＹＺ面の断面図を図７（ｂ）に示す。先端の形状を変えることにより、発生する力の特性を変えることが可能である。先端形状を変えた一例を図７（ｃ）に示す。
【００３１】
また、図８に示すように、磁極のピッチを２ｎＰ±Ｐ／２ｍとした場合、±Ｐ／２ｍの範囲でピッチをずらすことにより、力（トルク）の脈動成分を小さくすることが可能である。この場合にも、図１に示した場合と同様の効果が得られる。
【００３２】
本発明の推力発生機構では、複数個の電機子鉄心の磁束の方向が略同一であり、隣り合う電機子鉄心間の距離を小さく出来る。磁石ピッチＰに対して、電機子鉄心のピッチを２Ｐとした場合、電機子鉄心の厚さｔは０＜ｔ＜＝２Ｐとする事が可能である。このとき、磁石に対向する磁極歯を磁石に向かって先細りの形状にすることにより、磁束を集中させることが可能になり、より大きな力が得られる。磁極歯の形状例を図９に示す。さらに、先細りの形状にすることで磁束の脈動を低減できるため、推力の脈動も小さくすることが可能である。
【００３３】
本発明の電機子ユニットを直列または並列に配置して構成した推力発生装置を説明する。図１０は、電機子鉄心１を３個並列に並べた電機子鉄心ユニット１００に電機子巻線２を磁石に対向するコアに設置したものである。図１１はこの断面図を示す。
【００３４】
電機子鉄心ユニット１００と電機子ユニット１０１の位置関係は、電機子鉄心ユニット１００と電機子ユニット１０１の隣り合うコアの間隔は（ｋＰ＋Ｐ／Ｍ）（ｋ＝０，１，２，３・・・、Ｍ＝１，２，３，・・・）の間隔で配置される。図１０に示した実施の形態は、３ユニットで１構成とした３相構成での場合を示す。各相のユニットは隣り合う電機子の間隔が（ｋＰ＋Ｐ／Ｍ）となる。
【００３５】
尚、図１０および図１１に示した、電機子鉄心ユニット１００と電機子ユニット１０１の間隔を（ｋＰ＋２Ｐ／Ｍ）（ｋ＝０，１，２，３・・・、Ｍ＝１，２，３，・・・）としても、本発明の電機子ユニットは構成可能である。
【００３６】
〔発明の実施の形態２〕
本発明の第二の実施形態を図１２以降に示す。
【００３７】
本発明は磁石の上下の面に対向して、磁極歯を配置し、上下の磁極歯をつなぐコアを有する構造である。永久磁石２０３は、上側の磁極歯２１１と下側の磁極歯２１２に空隙を隔てて挟み込まれている。上側の磁極歯２１１と下側の磁極歯２１２と鉄心２０１によって磁束の経路が構成される。鉄心２０１と上側磁極歯２１１と下側磁極歯２１２で構成される電機子鉄心３０１は複数個並べられる。複数個の電機子鉄心に共通の巻線２０２を配置する。図１２に示す電機子鉄心は、２個であるが電機子鉄心が増えても同様に構成できる。そして、図１２全体で電機子ユニットを構成する。
【００３８】
電機子鉄心の磁束の方向が略同一であるので、複数個の電機子鉄心間に補助鉄心を挿入することも可能である。その形状説明図を図１３に示す。鉄心２０１と上側磁極歯２１１と下側磁極歯２１２で構成された電機子鉄心３０１を複数個並べ、複数個の電機子鉄心の間に補助鉄心２０４を挿入している。このようにすることで、磁束の経路となる鉄心の断面積を広くすることが可能である。
【００３９】
上側の磁極歯と下側の磁極歯を磁石に向かって細くなるように構成すれば、図１４に示すように、発生する力の脈動を低減できる。また、磁石を磁極歯に対して斜めにすることでさらに脈動を低減できる。
【００４０】
上側の磁極歯と下側の磁極歯を磁石に向かって細くなるように構成した場合、図１５に示すように、電機子鉄心の間隔を狭く、または接触した状態で構成でき小型化が可能になる。
【００４１】
実施例２で示した構成では、磁石列の片側が電機子鉄心によっておおわれていないため、他の構造物を磁石列側面に配置できる特徴を有する。また、実施例１と同様に図１２に示したような電機子ユニットを複数個配置し、（ｋＰ＋Ｐ／Ｍ）または（ｋＰ＋２Ｐ／Ｍ）（ｋ＝０，１，２，３・・・、Ｍ＝１，２，３，・・・）の間隔とすることで、Ｍ相の電源で駆動するリニアモータが構成できる。
【００４２】
図１６は本発明の他の実施例を示したものである。
【００４３】
図１６は３つの電機子鉄芯で電機子ユニット構成し、電機子ユニット３つで３相のリニアモータを構成した例である。そして、磁石部の構造がわかるように相対移動方向の垂直断面でコイルの１辺を切り取った図である。本発明の実施形態として、可動子とした磁石列側を固定し、電機子ユニット側を動かす構成も可能である。
【００４４】
本発明の電機子鉄心に巻かれた巻線に電流を流した場合、電流値の変化に伴って電機子が空隙に作る電機子磁束が変化する。電機子に一定の直流電流を与えた場合、２Ｐの領域の空隙に発生する電機子磁束は１つの極性を有する。図１７は巻線に一定の電流値を与えた瞬間の電機子磁束Ｂｃの分布を示す。電機子の構成によっては２Ｐ領域の端の部分では電機子磁束が小さくなり、または逆向きになる場合もあるが、略一つの極性を有する特徴を有する。
【００４５】
次に、電機子鉄心に巻かれた巻線に電流を流した場合、磁石の作る磁束と電機子の作る磁束の分布について図１８に示す。電機子鉄心２Ｐの空隙領域において、磁石は二つ存在する。電機子の巻線に電流を与えた場合の、ある電流値における空隙に発生する電機子磁束Ｂｃは図１８上側に示すように、１つの極性を有する。それに対して、磁石が空隙に作る磁束Ｂｍは図１８下に示すように、２つの極性を有する特徴がある。
【００４６】
さらに、複数個の電機子を並べた場合、電機子の巻線に直流電流を与えた場合、図１９に示すような電機子磁束Ｂｃの分布になる。複数個の電機子が空隙に発生する磁束は、略１つの極性を有することになる。
【００４７】
図１７から図１９に示した、これらの構成では、２つの極性を有する磁石との相互作用で力が発生する。何れの場合も、電機子が１つの極性のみを有するため、電機子同士の磁相の干渉を低減できる。電流の正負が入れ替わった場合は、電機子磁束の向きも入れ替わり逆の極性を有するが、その場合でも、略１つの極性を有することになる。
【００４８】
また、本発明の電機子ユニットは、磁石列に対して配置を変えることが可能である。巻線の占有範囲を効果的に配置するために、図２０に示すように、各ユニットを磁石列に対して交互に配置することにより電機子ユニット間の空間を有効に利用できる。図２０（ａ）はユニット配置例の斜視図を、図２０（ｂ）は上面図を示す。
【００４９】
電機子ユニットは、図２１に示すように、磁石の面に沿って電機子鉄心を三角状にすることで、ユニット間の占有空間を小さくすることが可能である。図２１（ａ）は、電機子鉄心を上面から見て三角状にした場合のユニット配置例の斜視図を、図２１（ｂ）はその上面図を示す。
【００５０】
また、図２２のように、磁石列の両側から挟みこむ構造も可能である。両側から挟みこんだ構成の１例の斜視図を図２２（ａ）に、上面図を図２２（ｂ）に示す。
【００５１】
図２３に示すように、磁石の形状を丸型にし、可動子を軸状にして構成も可能である。さらに、磁石の配置は図２４（ａ）および（ｂ）に示すように、極と極を向かい合わせて配置したり、磁石の間隔を狭めて構成が可能である。
【００５２】
また、本発明の推力発生機構の実施形態としてリニアモータとして説明したが、電機子ユニットの巻線に交流電流を供給することにより、可動子が相対的な往復運動をする振動型リニアアクチュエータとしても利用可能である。
【００５３】
本発明の実施例は磁石を直線的に配置し、リニアモータとして説明を行ったが、磁石を円弧状に配列すれば、回転電機として駆動することも可能である。その際の磁石列の配置方法は、円盤状に配置もしくは円筒状に配置することも可能である。
【００５４】
また、上述した実施例では、同じ形状の電機子鉄心を組み合わせた構成を説明しているが、同様の機能を達成できるのであれば、同じ形状の電機子鉄心を用いないことも可能である。
【００５５】
また、上記に記述した実施例では複数個の電機子を個々に記載しているが、複数個の電機子を一体で構成しても同様の効果が得られる。
【産業上の利用可能性】
【００５６】
本発明の推力発生機構、又はリニアモータは、従来用いられてきた推力発生機構、又はリニアモータに代わって用いられることが可能である
【符号の説明】
【００５７】
１  電機子鉄心
３  磁石列
４  空隙
１１，１２  磁極歯
１００  電機子鉄心ユニット
２００  電機子ユニット
【図１】
0005678025.tif 000002
【図２】
0005678025.tif 000003
【図３】
0005678025.tif 000004
【図４】
0005678025.tif 000005
【図５】
0005678025.tif 000006
【図６】
0005678025.tif 000007
【図７】
0005678025.tif 000008
【図８】
0005678025.tif 000009
【図９】
0005678025.tif 000010
【図１０】
0005678025.tif 000011
【図１１】
0005678025.tif 000012
【図１２】
0005678025.tif 000013
【図１３】
0005678025.tif 000014
【図１４】
0005678025.tif 000015
【図１５】
0005678025.tif 000016
【図１６】
0005678025.tif 000017
【図１７】
0005678025.tif 000018
【図１８】
0005678025.tif 000019
【図１９】
0005678025.tif 000020
【図２０】
0005678025.tif 000021
【図２１】
0005678025.tif 000022
【図２２】
0005678025.tif 000023
【図２３】
0005678025.tif 000024
【図２４】
0005678025.tif 000025